(57)【特許請求の範囲】
【請求項１】
真空ポンプで真空引きされる真空容器内に、第１のコイル状帯板を巻き出す第１の巻出しリール装置と、
真空ポンプで真空引きされる真空容器内に、前記第１の帯板よりも硬い第２のコイル状帯板を巻き出す第２の巻出しリール装置と、
前記第１及び第２の帯板を真空中で圧着して単一の帯板とする第１及び第２の圧着ロールと、
前記第１及び第２の圧着ロールで圧着された前記単一の帯板をコイル状に巻き取る巻取りリール装置と、を備え、
前記第１の帯板に向かう前記第１の圧着ロールは、前記第２の帯板に向かう前記第２の圧着ロールよりも、直径又は周速が大きい、ことを特徴とする帯板多層圧着設備。
【請求項２】
前記第１の巻出しリール装置から巻き出した前記第１の帯板の接合表面にプラズマ又はイオンを照射して当該接合表面の洗浄・活性化を行う第１の電子銃装置と、
前記第２巻出しリール装置から巻き出した前記第２の帯板の接合表面にプラズマ又はイオンを照射して当該接合表面の洗浄・活性化を行う第２の電子銃装置とを備える、ことを特徴とする請求項１に記載の帯板多層圧着設備。
【発明の詳細な説明】
【技術分野】
【０００１】
本発明は、複数の帯板を圧着する帯板多層圧着設備に関する。
【背景技術】
【０００２】
複数の帯板を圧着してクラッド材を製造する手段として、例えば、特開平４−１３８８８４号公報（特許文献１）の「Ａｌ／ステンレス鋼クラッド板製造時における板厚製造方法」が開示されている。この図３に模式的に示すように、加熱装置５，６と圧延機７を備え、Ａｌ又はＡｌ合金の加熱温度を調整することで「クラッド素材間」及び「Ａｌ又はＡｌ合金と圧延ロール間」の摩擦抵抗を変化させ、これによって製品の板厚制御を行うものである。なお、この図で１，２はペイオフリール、３，４はコイル、８はテンションリールである。
【０００３】
【特許文献１】特開平４−１３８８８４号公報
【発明の開示】
【発明が解決しようとする課題】
【０００４】
しかし、上述した手段では、帯板を空気中で圧着するため、帯板表面に形成されている安定化層（例えば酸化膜）の洗浄・活性化が不十分であり、圧着強度が低い問題点があった。また、板材（切板）を真空中でバッチ処理により圧着する試験例も報告されているが、真空中で表面の洗浄・活性化ができず、予め外部で処理した切板を使用しても、その後短時間に安定化（例えば酸化）されてしまうため、圧着強度が依然として低い問題点があった。
【０００５】
すなわち、帯板を圧着して高い圧着強度を有するクラッド材を製造するためには、安定化層を除去しかつ再度安定化層（酸化層）が形成される前に圧着する、素材を高温にして活性化して接合する、帯板の表面のゴミを除去・洗浄しかつ再付着を防止する、等が不可欠であるが、これらを確実に行うことができる帯板多層圧着設備は従来なかった。
【０００６】
また、更に高品質／高接合強度のクラッド材を製造するためには、各帯板の接合時の張力を正確に保持し、各張力を圧着前の帯板の硬さに応じたある最適値に設定でき、圧着時の各帯板のそれぞれの圧延伸率がほぼ等しくなるようにする必要がある。
【０００７】
本発明は、かかる要望を満たすために創案されたものである。すなわち、本発明の主目的は、安定化層を除去しかつ再度安定化層（酸化層）が形成される前に圧着することができ、素材を高温にして活性化して接合することができ、帯板の表面のゴミを除去・洗浄しかつ再付着を防止して接合することができ、各帯板の接合時の張力を正確に保持することができ、圧着時の各帯板のそれぞれの圧延伸率がほぼ等しくなるよう制御することができる帯板多層圧着設備を提供することにある。
【課題を解決するための手段】
【０００８】
本発明によれば、真空ポンプで真空引きされる真空容器内に、複数のコイル状帯板をそれぞれ巻き出す複数の巻出しリール装置と、該巻き出しリール装置で巻き出した帯板の張力をそれぞれ制御する複数の巻出し張力制御設備と、前記巻き出しリール装置から巻き出した複数の帯板の接合表面の洗浄・活性化を行う表面活性化装置と、前記複数の帯板を真空中で圧着させる圧着装置と、圧着した単一の帯板をコイル状に巻き取る巻取りリール装置と、を備え、前記圧着装置は、複数の帯板を圧着させる１対の圧着ロールを備え、該１対の圧着ロールは、各帯板の出側の伸び歪みが同じになるように、異なる直径を有し、及び／又は、異なる周速で回転駆動される、ことを特徴とする帯板多層圧着設備が提供される。
【発明の効果】
【０００９】
本発明の構成により、真空容器内で表面活性化を行うことにより、安定化層を除去しかつ再度安定化層（酸化層）が形成されるのを防止しつつ圧着することができる、同時に、帯板の表面のゴミを除去・洗浄しかつ再付着を防止して接合することができる。また、巻出し張力制御設備を真空容器内に内蔵することにより、各帯板の接合時の張力を正確に保持することができる。
また、例えば、帯板が硬いものと柔らかいものの場合に、硬い側を小径にして平均面圧を高くし、逆に柔らかい側を大径にして平均面厚を下げ、出側の伸び歪みを同一にすることができる。この場合、中立点で、材料速度とロール速度が一致し、同じ板厚の帯板では、出側でもほぼ同一の厚さとなる。
【発明を実施するための最良の形態】
【００１０】
以下、本発明の好ましい実施形態を図面を参照して説明する。なお、各図において共通する部分には同一の符号を付して重複した説明を省略する。図１は、本発明の帯板多層圧着設備の全体構成図である。この図に示すように、本発明の帯板多層圧着設備１０は、真空ポンプ１１で真空引きされる真空容器１２内に、複数（この図で２つ）の巻出しリール装置１４ａ，１４ｂ、複数（この図で２つ）の巻出し張力制御設備１６ａ，１６ｂ、表面活性化装置１８、圧着装置２０、及び巻取りリール装置２２を備えている。なお、本発明は、２つの巻出しリール装置及び巻出し張力制御設備に限定されず、３つ以上のこれらを備えてもよい。
【００１１】
図２は、図１のＡ−Ａ線における断面図である。この図に示すように、巻出しリール装置１４ａは、コイル状帯板９ａの巻出しスプール２３を両端から挟持する挟みドラム２４と、ドラム２４を回転自在にシールするシール装置２６と、シール装置２６を帯板９ａの幅方向に移動可能にシールするダイヤフラム２８とからなる。シール装置２６にはドラム２４との間にシール２５が設けられ、その間を回転可能に気密にシールしている。また、ダイヤフラム２８の一端はシール装置２６の本体部分に固着され、他端は真空容器１２に固着された、シール装置２６を幅方向に移動可能に気密にシールしている。また、ドラム２４は外部からペイオフモータ１５ａで回転駆動され、かつ液圧シリンダ２７により、ドラム２４及びモータ１５ａが帯板９ａの幅方向に移動できるようになっている。この構成により、真空容器１２の外部からコイル（帯板９ａ）を幅方向に移動可能に挟持しながら、コイル状帯板９ａを巻き出すことができる。なお、巻出しリール装置１４ｂも、同様の構成である。
【００１２】
巻出し張力制御設備１６ａ，１６ｂは、図１に示すように、帯板９ａ，９ｂに張力を付加するダンサロール３２と、ダンサロール３２の位置を検出する位置検出装置３４（例えばカメラ）と、張力制御装置３６（例えば、液圧シリンダ）とからなり、位置検出装置で検出したダンサロール３２の位置偏差（ｘ１，ｘ２）をそれぞれの巻出しリール装置１４ａ，１４ｂのモータ速度にフィードバックしながら、張力制御装置３６により帯板９ａ，９ｂの張力をそれぞれ制御するようになっている。この構成により、帯板の各張力を圧着前の帯板の硬さに応じたある最適値に設定できる。
【００１３】
表面活性化装置１８は、例えば帯板９ａ，９ｂの接合表面にプラズマ或いはイオンを照射して板表面層を洗浄・活性化する電子銃装置であり、巻き出しリール装置から巻き出した複数の帯板の接合表面の洗浄・活性化を行うようになっている。この構成により、板表面層の洗浄と同時に素材を高温にして活性化して接合することができる。
【００１４】
圧着装置２０は、複数の帯板９ａ，９ｂを圧着させる１対の圧着ロール２１ａ，２１ｂを備える。この１対の圧着ロール２１ａ，２１ｂは、圧着圧延モータ３７ａ，３７ｂでそれぞれ駆動される。また圧着ロール２１ａ，２１ｂは、異なる直径を有し、及び／又は、異なる周速で回転駆動され、複数の帯板９ａ，９ｂを真空中で単一の帯板９ｃに圧着させ、同時に出側の伸び歪みが同じになるように制御される。この構成により、例えば、帯板が硬いものと柔らかいものの場合に、硬い側を小径にして平均面圧を高くし、逆に柔らかい側を大径にして平均面厚を下げ、出側の伸び歪みを同一にすることができる。この場合、中立点で、材料速度とロール速度が一致し、同じ板厚の帯板では、出側でもほぼ同一の厚さとなる。
【００１５】
巻取りリール装置２２は、好ましくは巻出しリール装置１４ａ，１４ｂと同様に構成され、巻取りモータ１５ｃにより圧着した単一の帯板９ｃをコイル状に巻き取る。
【００１６】
上述した本発明の構成により、真空容器１２内で表面活性化を行うことにより、帯板９ａ，９ｂの安定化層を除去しかつ再度安定化層（酸化層）が形成されるのを防止しつつ圧着することができる、同時に、帯板の表面のゴミを除去・洗浄しかつ再付着を防止して接合することができる。また、巻出し張力制御設備１６ａ，１６ｂを真空容器１２内に内蔵することにより、各帯板９ａ，９ｂの接合時の張力を正確に保持することができる。
【００１７】
なお、本発明は上述した実施形態に限定されず、本発明の要旨を逸脱しない範囲で種々変更できることは勿論である。
【図面の簡単な説明】
【００１８】
【図１】本発明の帯板多層圧着設備の全体構成図である。
【図２】図１のＡ−Ａ線における断面図である。
【図３】従来の帯板多層手段の説明図である。
【符号の説明】
【００１９】
１，２ ペイオフリール
３，４ コイル
５，６ 加熱装置
７ 圧延機
８ テンションリール
９ａ，９ｂ，９ｃ 帯板
１０ 帯板多層圧着設備
１２ 真空容器
１４ａ，１４ｂ 巻出しリール装置
１５ａ，１５ｂ ペイオフモータ
１６ａ，１６ｂ 巻出し張力制御設備
１８ 表面活性化装置
２０ 圧着装置
２１ａ，２１ｂ 圧着ロール
２２ 巻取りリール装置
２３ 巻出しスプール
２４ 挟みドラム
２５ シール
２６ シール装置
２７ 液圧シリンダ
２８ ダイヤフラム
３２ ダンサロール
３４ 位置検出装置
３６ 張力制御装置
３７ａ，３７ｂ 圧着圧延モータ
【図１】
0004811955.tif 000002
【図２】
0004811955.tif 000003
【図３】
0004811955.tif 000004